(57)【要約】【課題】受信信号が時間的に大きく変動する場合であっても、ＦＦＴの時間窓を最適な位置に設定できるＯＦＤＭ受信装置およびその時間窓制御方法を提供する。【解決手段】時間窓設定回路１０２によるＦＦＴ回路８に対する時間窓設定位置の調整期間中は、セレクタ７によりＦＦＴ回路８への入力をバッファメモリ６の出力へ切り替える。これにより、直交検波器１５から出力され、バッファメモリ６に記憶されたベースバンドのＯＦＤＭ信号が、時間窓設定位置の変更の度に繰り返しＦＦＴ回路８に入力され、時間窓設定位置の変更と相関性のある受信品質データが、Ｓ／Ｎ算出回路９４から得られる。この受信品質データを時間窓設定回路１０２へフィードバックすることにより、良好な受信品質が得られる位置にＦＦＴ回路８の時間窓が設定される。【選択図】  図１
2004336279.tif 000002
【特許請求の範囲】
【請求項１】
ＯＦＤＭ信号を受信してベースバンドのＯＦＤＭ信号へ変換する信号受信手段と、
前記受信手段の出力を一時的に記憶する記憶手段と、
前記信号受信手段の出力および前記記憶手段の出力を入力とし、その入力のいずれかを選択して出力する選択手段と、
前記選択手段の出力を入力信号とし、前記ＯＦＤＭ信号の有効シンボル期間に相当する時間窓で切り取った前記入力信号に対してフーリエ変換を行うフーリエ変換手段と、
前記フーリエ変換手段の出力をデジタルデータに復調して出力するデータ復調手段と、
前記フーリエ変換手段の出力信号の品質を測定して受信品質データを生成する受信品質測定手段と、
前記受信品質データに基づいて、前記時間窓の設定位置を調整する時間窓制御手段とを具備し、
前記時間窓制御手段における前記時間窓の設定位置の調整中は前記選択手段により前記記憶手段の出力を選択し、前記時間窓の設定位置を変更する毎に、前記記憶手段に一時的に記憶されたベースバンドのＯＦＤＭ信号を前記フーリエ変換手段へ繰り返し入力することを特徴とするＯＦＤＭ受信装置。
【請求項２】
前記時間窓制御手段における前記時間窓の設定位置の調整が所定の時間以内に終了しないときは、前記記憶手段に一時記憶するベースバンドのＯＦＤＭ信号を取り替えて、新たに前記調整を開始することを特徴とする請求項１に記載のＯＦＤＭ受信装置。
【請求項３】
前記時間窓制御手段における前記時間窓の設定位置の調整終了後は、前記選択手段が前記信号受信手段の出力を選択して、前記信号受信手段から出力されるベースバンドのＯＦＤＭ信号が前記フーリエ変換手段へ入力されることを特徴とする請求項１または２に記載のＯＦＤＭ受信装置。
【請求項４】
前記受信品質測定手段は、前記フーリエ変換後の信号の信号対雑音比を算出することを特徴とする請求項１乃至３のいずれか１項に記載のＯＦＤＭ受信装置。
【請求項５】
前記受信品質測定手段は、前記フーリエ変換後の信号のビット誤り率を算出することを特徴とする請求項１乃至３のいずれか１項に記載のＯＦＤＭ受信装置。
【請求項６】
ＯＦＤＭ信号を受信してベースバンドのＯＦＤＭ信号へ変換する信号受信手段と、
前記受信手段の出力を一時的に記憶する記憶手段と、
前記信号受信手段の出力を入力信号とし、前記ＯＦＤＭ信号の有効シンボル期間に相当する第１の時間窓で切り取った前記入力信号に対してフーリエ変換を行う第１のフーリエ変換手段と、
前記第１のフーリエ変換手段の出力をデジタルデータに復調して出力する第１のデータ復調手段と、
前記信号受信手段の出力および前記記憶手段の出力を入力とし、その入力のいずれかを選択して出力する選択手段と、
前記選択手段の出力を入力信号とし、前記ＯＦＤＭ信号の有効シンボル期間に相当する第２の時間窓で切り取った前記入力信号に対してフーリエ変換を行う第２のフーリエ変換手段と、
前記第２のフーリエ変換手段の出力をデジタルデータに復調する第２のデータ復調手段と、
前記第２のフーリエ変換手段の出力信号の品質を測定して受信品質データを生成する受信品質測定手段と、
前記第２の時間窓に、予め用意した設定位置の異なる複数の時間窓を順次適用して、それぞれの時間窓における前記受信品質データをそれぞれの時間窓位置とともに記録し、その記録したデータの中から所定の受信品質となる時間窓位置を前記第１の時間窓に使用する窓位置として選択する時間窓制御手段とを具備し、
前記時間窓制御手段における前記受信品質データの前記記録中は、前記記憶手段に記憶されたベースバンドのＯＦＤＭ信号を前記第２のフーリエ変換手段へ繰り返し入力することを特徴とするＯＦＤＭ受信装置。
【請求項７】
前記時間窓制御手段における前記窓位置の選択が所定の時間以内に終了しないときは、前記記憶手段に一時的に記憶するベースバンドのＯＦＤＭ信号を取り替えて、新たに前記第２の時間窓に前記複数の時間窓を適用して前記受信品質データの記録を開始することを特徴とする請求項６に記載のＯＦＤＭ受信装置。
【請求項８】
前記時間窓制御手段における前記窓位置の選択決定後に前記記憶手段に一時的に記憶するベースバンドのＯＦＤＭ信号を前記信号受信手段より新たに出力されるベースバンドのＯＦＤＭ信号に書き換え、再び前記時間窓制御手段による前記時間窓選択を行うことを繰り返し実行することを特徴とする請求項６または７に記載のＯＦＤＭ受信装置。
【請求項９】
前記受信品質測定手段は、前記第２のフーリエ変換手段によるフーリエ変換後の信号の信号対雑音比を算出することを特徴とする請求項６乃至８のいずれか１項に記載のＯＦＤＭ受信装置。
【請求項１０】
前記受信品質測定手段は、前記第２のフーリエ変換手段によるフーリエ変換後の信号のビット誤り率を算出することを特徴とする請求項６乃至８のいずれか１項に記載のＯＦＤＭ受信装置。
【請求項１１】
ベースバンドのＯＦＤＭ信号を記憶手段に書き込むステップと、
前記記憶手段に書き込まれたベースバンドのＯＦＤＭ信号を読み出すステップと、
前記記憶手段から読み出されたベースバンドのＯＦＤＭ信号のフーリエ変換を行うステップと、
前記フーリエ変換の出力信号の品質を測定して生成した受信品質データを検証するステップと、
受信品質が所定の基準未満のときは、前記フーリエ変換における時間窓の設定位置を変更するステップとを具備し、
受信品質が所定の基準を満たすまでは、前記時間窓の設定位置を変更するステップと前記ベースバンドのＯＦＤＭ信号を読み出すステップと前記フーリエ変換を行うステップを繰り返し実行することを特徴とするＯＦＤＭ受信方法。
【請求項１２】
ベースバンドのＯＦＤＭ信号を記憶手段に書き込むステップと、
前記記憶手段に書き込まれたベースバンドのＯＦＤＭ信号を読み出すステップと、
予め用意された設定位置の異なる複数の時間窓を順次適用して、前記記憶手段から読み出されたベースバンドのＯＦＤＭ信号のフーリエ変換を複数回行うステップと、
前記複数回のフーリエ変換の出力信号の品質をそれぞれ測定して受信品質データとしてそれぞれの時間窓位置とともに記録するステップと、
前記受信品質データ中で最良の受信品質を示す受信品質データとともに記録されている時間窓位置をＯＦＤＭ信号復調用のフーリエ変換の窓位置として選択するステップとを具備することを特徴とするＯＦＤＭ受信方法。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｔｉｐｌｅｘ：直交周波数分割多重）変調方式による伝送信号の受信装置および受信方法に関する。
【０００２】
【従来の技術】
近年、地上波テレビジョン放送システムのデジタル化の研究が盛んであり、欧州と日本においては、ＯＦＤＭ変調方式が伝送方式として採用されている。このＯＦＤＭ方式は、広域信号を互いに直交する多数の搬送波で伝送することにより、地上波テレビジョン放送において必須の伝送条件であるマルチパス伝播路における耐遅延干渉特性を改善できる利点を持っている。
【０００３】
送信装置におけるＯＦＤＭ信号の生成は、変調された上記多数の搬送波を一括して逆フーリエ変換することにより行われる。また、その伝送は伝送シンボル単位で行われる。この伝送シンボルは、マルチパスによるシンボル間干渉を避けるため、有効シンボルの前にガードインターバルを付加した形式で送信される。
【０００４】
そのため、受信装置では、受信した上記伝送シンボルから、時間窓で有効シンボルを切り出し、切り出した有効シンボルをフーリエ変換することで、有効シンボルを各搬送波に分離する。このときフーリエ変換には、高速変換アルゴリズムであるＦＦＴ（Ｆａｓｔ  Ｆｏｕｒｉｅｒ  Ｔｒａｎｓｆｏｒｍ）が用いられる。
【０００５】
図９に、このＯＦＤＭ伝送シンボルと時間窓の関係を示す。通常、伝送シンボルにおけるガードインターバル部分には、有効シンボルの終端部分の波形がそのまま複写されている。したがって、有効シンボル期間と同じ時間幅を持つ時間窓で伝送シンボルを切り出すときに、その設定位置の一部がガードインターバル期間にかかってもＦＦＴの直交性を維持できる。
【０００６】
このガードインターバルを設けることにより、マルチパス信号の伝播があっても、その遅延時間が、図９に示すようなガードインターバル期間以内であれば、シンボル間干渉を起こさないように有効シンボルを切り出すことができる。
【０００７】
しかし、時間窓が隣接するシンボルを含む場合、シンボル間干渉が生じ、ＦＦＴの直交性が保てなくなる。そのため、良好な受信品質を得るためには、時間窓の設定位置を的確に制御することが必要になってくる。
【０００８】
そこで、従来、時間窓を制御する回路を設け、時間窓の位置変更と受信品質の検証を繰り返すことで時間窓を最適な位置に設定するという制御方法が用いられている（例えば、特許文献１を参照。）。
【０００９】
【特許文献１】
特開２００１−３４５７７５号公報（第３−５頁、図１）
【００１０】
【発明が解決しようとする課題】
ところが、受信信号は時々刻々と変化しているため、上述の制御方法では、一回の処理単位で見ると、時間窓位置を変更したときに、同時に受信信号そのものの位置も変化していることになる。そのため、受信品質の向上を図って時間窓位置を変更しても、逆に受信品質が悪化することがある。このとき、その原因が、時間窓位置を変更したことによるものか、それとも受信信号自体の位置が変化したことによるものか特定できないという問題が生じる。
【００１１】
特に、走行中の自動車内などで受信する移動体受信では、建物などで反射して異なる方向から複数届く電波が干渉しあって、受信信号が時間的に大きく変動するフェージング現象が発生し、この問題が顕著になる。そのため、上述のような従来の制御方法では、時間窓を最適な位置に制御することが困難であった。
【００１２】
そこで、本発明の目的は、受信信号が時間的に大きく変動しても、ＦＦＴの時間窓を最適な位置に設定できる時間窓制御手段を有するＯＦＤＭ受信装置および受信方法を提供することにある。
【００１３】
【課題を解決するための手段】
本発明の一態様によれば、ＯＦＤＭ信号を受信してベースバンドのＯＦＤＭ信号へ変換する信号受信手段と、前記受信手段の出力を一時的に記憶する記憶手段と、前記信号受信手段の出力および前記記憶手段の出力を入力とし、その入力のいずれかを選択して出力する選択手段と、前記選択手段の出力を入力信号とし、前記ＯＦＤＭ信号の有効シンボル期間に相当する時間窓で切り取った前記入力信号に対してフーリエ変換を行うフーリエ変換手段と、前記フーリエ変換手段の出力をデジタルデータに復調して出力するデータ復調手段と、前記フーリエ変換手段の出力信号の品質を測定して受信品質データを生成する受信品質測定手段と、前記受信品質データに基づいて、前記時間窓の設定位置を調整する時間窓制御手段とを具備し、前記時間窓制御手段における前記時間窓の設定位置の調整中は前記選択手段により前記記憶手段の出力を選択し、前記時間窓の設定位置を変更する毎に、前記記憶手段に一時的に記憶されたベースバンドのＯＦＤＭ信号を前記フーリエ変換手段へ繰り返し入力することを特徴とするＯＦＤＭ受信装置が提供される。
【００１４】
また、本発明の別の態様によれば、ＯＦＤＭ信号を受信してベースバンドのＯＦＤＭ信号へ変換する信号受信手段と、前記受信手段の出力を一時的に記憶する記憶手段と、前記信号受信手段の出力を入力信号とし、前記ＯＦＤＭ信号の有効シンボル期間に相当する第１の時間窓で切り取った前記入力信号に対してフーリエ変換を行う第１のフーリエ変換手段と、前記第１のフーリエ変換手段の出力をデジタルデータに復調して出力する第１のデータ復調手段と、前記信号受信手段の出力および前記記憶手段の出力を入力とし、その入力のいずれかを選択して出力する選択手段と、前記選択手段の出力を入力信号とし、前記ＯＦＤＭ信号の有効シンボル期間に相当する第２の時間窓で切り取った前記入力信号に対してフーリエ変換を行う第２のフーリエ変換手段と、前記第２のフーリエ変換手段の出力をデジタルデータに復調する第２のデータ復調手段と、前記第２のフーリエ変換手段の出力信号の品質を測定して受信品質データを生成する受信品質測定手段と、前記第２の時間窓に、予め用意した設定位置の異なる複数の時間窓を順次適用して、それぞれの時間窓における前記受信品質データをそれぞれの時間窓位置とともに記録し、その記録したデータの中から所定の受信品質となる時間窓位置を前記第１の時間窓に使用する窓位置として選択する時間窓制御手段とを具備し、前記時間窓制御手段における前記受信品質データの前記記録中は、前記記憶手段に記憶されたベースバンドのＯＦＤＭ信号を前記第２のフーリエ変換手段へ繰り返し入力することを特徴とするＯＦＤＭ受信装置が提供される。
【００１５】
さらに、本発明の一態様によれば、ベースバンドのＯＦＤＭ信号を記憶手段に書き込むステップと、前記記憶手段に書き込まれたベースバンドのＯＦＤＭ信号を読み出すステップと、前記記憶手段から読み出されたベースバンドのＯＦＤＭ信号のフーリエ変換を行うステップと、前記フーリエ変換の出力信号の品質を測定して生成した受信品質データを検証するステップと、受信品質が所定の基準未満のときは、前記フーリエ変換における時間窓の設定位置を変更するステップとを具備し、受信品質が所定の基準を満たすまでは、前記時間窓の設定位置を変更するステップと前記ベースバンドのＯＦＤＭ信号を読み出すステップと前記フーリエ変換を行うステップを繰り返し実行することを特徴とするＯＦＤＭ受信方法が提供される。
【００１６】
また、本発明の別の態様によれば、ベースバンドのＯＦＤＭ信号を記憶手段に書き込むステップと、前記記憶手段に書き込まれたベースバンドのＯＦＤＭ信号を読み出すステップと、予め用意された設定位置の異なる複数の時間窓を順次適用して、前記記憶手段から読み出されたベースバンドのＯＦＤＭ信号のフーリエ変換を複数回行うステップと、前記複数回のフーリエ変換の出力信号の品質をそれぞれ測定して受信品質データとしてそれぞれの時間窓位置とともに記録するステップと、前記受信品質データ中で最良の受信品質を示す受信品質データとともに記録されている時間窓位置をＯＦＤＭ信号復調用のフーリエ変換の窓位置として選択するステップとを具備することを特徴とするＯＦＤＭ受信方法が提供される。
【００１７】
【発明の実施の形態】
以下、図面を参照しながら本発明の実施の形態を説明する。
【００１８】
（第１の実施の形態）
図１は、本発明の第１の実施の形態に係るＯＦＤＭ受信装置の構成を示すブロック図である。
【００１９】
本実施の形態のＯＦＤＭ受信装置は、信号受信部１と、バッファメモリ６と、セレクタ７と、ＦＦＴ回路８と、データ復調部９と、時間窓制御部１０とから構成される。ここで、信号受信部１は、アンテナ１１と、チューナ１２と、ＡＧＣ（自動利得制御）回路１３と、Ａ／Ｄ変換器１４と、直交検波器１５とから構成されている。
【００２０】
また、時間窓制御部１０は、ＦＦＴ回路８へ与えるＦＦＴ時間窓信号の発生位置を制御するが、そのほかにバッファメモリ６およびセレクタ７の動作も制御する。
【００２１】
先ず、アンテナ１１で受信されたＯＦＤＭ信号は、チューナ１２へ入力され、チューナ１２において、無線周波数帯からＩＦ（中間周波数）帯へ周波数変換される。チューナ１２の出力信号は、ＡＧＣ回路１３にて出力信号レベルが一定になるよう制御され、Ａ／Ｄ変換器１４に入力される。Ａ／Ｄ変換器１４でデジタル信号に変換された信号は、直交検波器１５に入力され、直交検波器１５においてベースバンドのＯＦＤＭ信号に変換される。
【００２２】
そして、この直交検波器１５で変換されたベースバンドのＯＦＤＭ信号は、バッファメモリ６およびセレクタ７に入力される。
【００２３】
バッファメモリ６は、時間窓制御部１０からのバッファメモリ制御信号により、その書き込みおよび読み出しが制御される。書き込み指示により、直交検波器１５から入力されるベースバンドのＯＦＤＭ信号がバッファメモリ６に記憶され、読み出し指示により、その記憶されたベースバンドのＯＦＤＭ信号がセレクタ７へ出力される。なお、バッファメモリ６に記憶されるベースバンドのＯＦＤＭ信号は、書き込み指示が出るたびに書き換わるものである。
【００２４】
セレクタ７は、時間窓制御部１０からの入力切り替え信号により、直交検波器１５から入力されるベースバンドのＯＦＤＭ信号とバッファメモリ６から入力されるベースバンドのＯＦＤＭ信号とを切り替えて、ＦＦＴ回路８へ出力する。
【００２５】
ＦＦＴ回路８は、時間窓制御部１０から入力されるＦＦＴ時間窓信号を用いて、セレクタ７から入力されるベースバンドのＯＦＤＭ信号から有効シンボル期間の信号を切り出し、切り出した信号のＦＦＴ演算を行ってベースバンドのＯＦＤＭ信号を時間領域の信号から周波数領域の信号へ変換する。
【００２６】
データ復調部９は、ＦＦＴ回路８から入力される周波数領域のＯＦＤＭ信号を等化回路９１で等化した後、復調回路９２で復調し、さらに誤り訂正回路９３で誤り訂正処理を施して復調データを出力する。このとき、等化回路９１の出力を利用して、Ｓ／Ｎ算出回路９４にてＦＦＴ回路８の出力信号のＳ／Ｎ（信号対雑音比）データを算出する。このＳ／Ｎデータが、このとき受信した信号の受信品質を示す受信品質データとなる。
【００２７】
時間窓制御部１０は、受信品質判定回路１０１と、時間窓設定回路１０２と、入力切り替え制御回路１０３と、収束判定回路１０４と、経過時間計測タイマ回路１０５と、バッファメモリ制御回路１０６とから構成され、データ復調部９から入力される受信品質データに基づいて、ＦＦＴ回路８へ与えるＦＦＴ時間窓信号の発生位置を制御する。
【００２８】
次に、この時間窓制御部１０を構成する各回路の動作について説明する。
【００２９】
受信品質判定回路１０１は、データ復調から入力される受信品質データの値を所定の基準値と比較し、基準を満たす場合は受信品質良好、基準を満たさない場合は受信品質不良と判定する。
【００３０】
時間窓設定回路１０２は、受信品質判定回路１０１の判定結果に基づき、ＦＦＴ時間窓信号の設定位置を調整する。受信品質不良の場合は、受信品質が向上するようにＦＦＴ時間窓信号の設定位置を変更する。受信品質良好の場合は、直前に設定した位置をＦＦＴ時間窓信号の設定位置として決定する。なお、受信開始の初期状態では、予め設定された位置にＦＦＴ時間窓信号を初期設定する。
【００３１】
入力切り替え制御回路１０３は、セレクタ７の入力の切り替えを制御する。時間窓設定回路１０２がＦＦＴ時間窓信号の設定位置を調整している間は、バッファメモリ６から出力されるベースバンドのＯＦＤＭ信号を入力とし、時間窓設定回路１０２がＦＦＴ時間窓信号の設定位置を決定した後は、直交検波器１５から出力されるベースバンドのＯＦＤＭ信号を入力として選択するようセレクタ７へ指示する。
【００３２】
収束判定回路１０４は、経過時間計測タイマ回路１０５で計測された時間と予め設定した規定時間とを比較して、時間窓設定回路１０２によるＦＦＴ時間窓信号の設定位置の調整が所定の時間内で収束したかどうかを判定する。
【００３３】
経過時間計測タイマ回路１０５は、時間窓設定回路１０２によるＦＦＴ時間窓信号の設定位置の調整が開始されてからの経過時間を計測する。一旦、ＦＦＴ時間窓信号の設定位置が決定されると、その値はクリアされる。その後、新たに時間窓設定回路１０２によるＦＦＴ時間窓信号の設定位置の調整が開始されると、その時点から改めて経過時間の計測を開始する。
【００３４】
バッファメモリ制御回路１０６は、バッファメモリ６へのデータの書き込み、およびバッファメモリ６からのデータの読み出しを制御する。
【００３５】
その制御の第１は、時間窓設定回路１０２によりＦＦＴ時間窓信号が初期設定されたときに、データの書き込みを指示し、書き込み終了後に、そのデータを読み出すよう指示することである。
【００３６】
その制御の第２は、時間窓設定回路１０２によるＦＦＴ時間窓信号の設定位置の調整中、ＦＦＴ時間窓信号の設定位置が変更される度に、その都度データの読み出しを指示することである。ただし、収束判定回路１０４により、時間窓設定回路１０２によるＦＦＴ時間窓信号の設定位置の調整に要している時間が所定の時間を超過したと判定されたときには、バッファメモリ６への新たなデータの書き込みを指示し、その書き込み終了後、その新たに書き込まれたデータの読み出しを指示する。
【００３７】
以上述べた時間窓制御部１０により、本実施の形態のＯＦＤＭ受信装置のＦＦＴ回路８のＦＦＴ時間窓信号の発生位置が制御される。
【００３８】
次に、本実施の形態の時間窓制御回路１０によるＦＦＴの時間窓の設定位置の制御方法について説明する。
【００３９】
図２は、本実施の形態の時間窓制御回路１０によるＦＦＴの時間窓の設定位置の制御方法を示すフローチャートである。
【００４０】
先ず、制御を開始すると（ステップＳ１）、時間窓設定回路１０２により初期設定位置にＦＦＴの時間窓信号の位置が設定する（ステップＳ２）。
【００４１】
次に、バッファメモリ制御回路１０６よりデータの書き込み指示を出し、バッファメモリ６へ直交検波器１５から出力されるベースバンドのＯＦＤＭ信号を書き込み、その時点のベースバンドのＯＦＤＭ信号をバッファメモリ６に記憶する（ステップＳ３）。
【００４２】
続いて、バッファメモリ６から記憶されているベースバンドのＯＦＤＭ信号データを読み出す。このとき、入力切り替え制御回路１０３よりセレクタ７へ、バッファメモリ６からの出力を入力として選択するよう指示し、バッファメモリ６から出力されるベースバンドのＯＦＤＭ信号データがＦＦＴ回路８の入力信号となるようにする（ステップＳ４）。
【００４３】
ＦＦＴ回路８は、ステップＳ２で設定されたＦＦＴの時間窓信号を用いて、セレクタ７から出力されたベースバンドのＯＦＤＭ信号に対してＦＦＴを実行する（ステップＳ５）。
【００４４】
ＦＦＴが終了すると、データ復調部９でＦＦＴ回路８の出力信号の受信品質を表わすデータを算出し、時間窓制御部１０へ出力する。入力されたこの受信品質データ用いて、受信品質判定回路１０１が受信品質の判定を行う（ステップＳ６）。
【００４５】
受信品質が不良（ＮＯ）の場合、ＦＦＴの時間窓信号の設定位置を変更する（ステップＳ７）。
【００４６】
このとき、収束判定回路１０４で、ＦＦＴ時間窓信号の設定位置の調整に要している時間が所定の時間を超過しているかどうかを判定する（ステップＳ８）。
【００４７】
ステップＳ８で所定の時間を超過していない（ＮＯ）と判定された場合、ステップＳ４に戻り、再度バッファメモリ６に記憶されているベースバンドのＯＦＤＭ信号データを読み出し、以降のステップの処理を繰り返す。
【００４８】
もし、ステップＳ８で所定の時間を超過している（ＹＥＳ）と判定された場合には、バッファメモリ６に記憶されている現状のベースバンドのＯＦＤＭ信号データは正常なものではないとみなし、ステップＳ３に戻る。ここで、バッファメモリ６へ、その時点で受信された新しいベースバンドのＯＦＤＭ信号を書き込み、以降のステップの処理を繰り返す。これにより、以降のステップでは、新しいベースバンドのＯＦＤＭ信号に対する処理が行なわれる。
【００４９】
ステップＳ６で、受信品質が良好（ＹＥＳ）と判定された場合、このとき設定したＦＦＴ時間窓信号を以降のＦＦＴに用いるＦＦＴ時間窓信号と決定する（ステップＳ９）。
【００５０】
このようにして決定されたＦＦＴ時間窓信号を用いて、直交検波器１５から出力されるベースバンドのＯＦＤＭ信号に対してＦＦＴ回路８のＦＦＴを実行すると、良好な受信品質のデータ復調を行うことができる。
【００５１】
このような本実施の形態のＯＦＤＭ受信装置の時間窓制御部１０およびそのＦＦＴの時間窓制御方法によれば、ＦＦＴの時間窓の設定位置の調整中は、ＦＦＴ回路８へは、バッファメモリ６に記憶されたベースバンドのＯＦＤＭ信号データが繰り返し与えられる。すなわち、毎回同じ入力信号に対してＦＦＴが実行される。したがって、ＦＦＴの時間窓の設定位置調整過程では、ＦＦＴの時間窓の設定位置の変更と相関性のある受信品質データが得られる。これにより、例えば、ＦＦＴの時間窓の設定位置の変更後に受信品質が悪化した場合、その原因はＦＦＴの時間窓の設定位置の変更にあることが直ちに判断でき、すぐに別の位置に新たな時間窓を設定することができる。そのため、短時間でＦＦＴの時間窓を最適な位置に設定することができる。
【００５２】
これより、受信信号が時間的に大きく変動するフェージング現象発生下にあっても、最適な位置にＦＦＴの時間窓を容易に設定することができる。
【００５３】
（第１の実施の形態の変形例）
図３は、第１の実施の形態の変形例に係るＯＦＤＭ受信装置の構成を示すブロック図である。
【００５４】
図３に示すＯＦＤＭ受信装置が図１に示すＯＦＤＭ受信装置と異なる点は、データ復調部９にＳ／Ｎ算出回路９４の代わりに誤り率算出回路９５が設けられている点である。
【００５５】
この誤り率算出回路９５は、データ復調部９の誤り訂正回路９３の出力を利用して、ＦＦＴ回路８の出力信号のビット誤り率を算出するものである。本変形例においては、このビット誤り率データが受信信号の受信品質データとして用いられる。
【００５６】
これにより、本変形例のＯＦＤＭ受信装置では、ＦＦＴ時間窓信号の設定位置の制御をＦＦＴ回路８の出力信号のビット誤り率に基づいて行うことができる。
【００５７】
（第２の実施の形態）
図４は、本発明の第２の実施の形態に係るＯＦＤＭ受信装置の構成を示すブロック図である。
【００５８】
本実施の形態のＯＦＤＭ受信装置は、信号受信部１と、復調用ＦＦＴ回路２８およびデータ復調部２９と、バッファメモリ６と、制御用ＦＦＴ回路１８と、制御用復調部１９、並びに時間窓制御部１１０とから構成される。
【００５９】
ここで、図４に示す信号受信部１は、図１に示す信号受信部１と同一の回路構成と機能を持つものである。また、図４のデータ復調部２９と制御用復調部１９を構成する各回路も、図１のデータ復調部９に用いられている回路と同一である。そこで、これらの内部回路には図１と同一の符号を付し、ここではその詳細な説明を省略する。
【００６０】
本実施の形態で、第１の実施の形態と異なる点は、データ復調用と時間窓制御用のそれぞれ専用にＦＦＴ回路および復調部を設けた点である。
【００６１】
図４に示す復調用ＦＦＴ回路２８とデータ復調部２９が、データ復調専用回路であり、制御用ＦＦＴ回路１８と制御用復調部１９が、時間窓制御専用回路である。
【００６２】
ここで、データ復調用ＦＦＴ回路２８には、直交検波器１５から常にベースバンドのＯＦＤＭ信号が入力されており、復調用ＦＦＴ回路２８から常に復調データが出力される。
【００６３】
一方、制御用ＦＦＴ回路１８には、バッファメモリ６に一時的に記憶されたベースバンドのＯＦＤＭ信号が入力され、制御用復調部１９へＦＦＴの結果が出力される。
【００６４】
また、本実施の形態では、時間窓の制御方法も第１の実施の形態とは異なるため、第１の実施の形態とは別の時間窓制御部１１０が設けられている。この時間窓制御部１１０は、受信品質が良好となる位置の時間窓信号を復調用ＦＦＴ回路２８へ与える機能を持つが、その動作の詳細については後述する。
【００６５】
以下、図４に示す回路の動作について説明する。
【００６６】
先ず、データ復調専用に設けた復調用ＦＦＴ回路２８とデータ復調部２９について説明する。
【００６７】
復調用ＦＦＴ回路２８は、時間窓制御部１１０から入力される最適位置に設定されたＦＦＴ時間窓信号を用いて、直交検波器１５から入力されるベースバンドのＯＦＤＭ信号から有効シンボル期間の信号を切り出し、切り出した信号のＦＦＴ演算を行ってベースバンドのＯＦＤＭ信号を時間領域の信号から周波数領域の信号へ変換する。
【００６８】
データ復調部２９は、復調用ＦＦＴ回路２８から入力される周波数領域のＯＦＤＭ信号を等化回路９１で等化した後、復調回路９２で復調し、さらに誤り訂正回路９３で誤り訂正処理を施して復調データを出力する。
【００６９】
次に、時間窓制御部１１０について説明する。
【００７０】
時間窓制御部１１０は、時間窓設定回路１１２と、受信品質記録回路１１７と、受信品質判定回路１１１と、最適時間窓選択回路１１８と、バッファメモリ制御回路１１６とから構成され、制御用復調部１９から入力される受信品質データに基づいて、制御用ＦＦＴ回路１８および復調用ＦＦＴ回路２８へ与えるＦＦＴ時間窓信号の発生位置を制御する。
【００７１】
時間窓設定回路１１２は、設定位置を異ならせた複数の時間窓データを予め用意しており、これを順次１つずつ制御用ＦＦＴ回路１８へ与える。図５に、上記複数の時間窓データの１例を示す。この複数の時間窓は、その立ち上がりがガードインターバル期間を等分割した位置にあり、図５の例では時間窓１〜時間窓８までの８個の時間窓データが用意されている。そこで、制御用ＦＦＴ回路１８へ時間窓信号を与える場合、例えば、時間窓１、時間窓２、・・・、時間窓８と順次出力する。
【００７２】
受信品質記録回路１１７は、制御用復調部１９から入力される受信品質データを、そのとき用いた時間窓データと組にして記録する。図６に、その記録データの例を示す。ここでは、図５に示した時間窓データを用いた例である。したがって、図５に示す８個の時間窓データ、時間窓１〜時間窓８に対応して、８個の受信品質データ、受信品質データ１〜受信品質データ８があり、それが、時間窓１と受信品質データ１、時間窓２と受信品質データ２、・・・、時間窓８と受信品質データ８がそれぞれ組になって、計８組のデータとして記録される。
【００７３】
受信品質判定回路１１１は、受信品質記録回路１１７で記録された受信品質データのそれぞれを所定の基準値と比較する。総ての受信品質データが基準値を満たさない場合は、受信品質不良と判定する。
【００７４】
最適時間窓選択回路１１８は、受信品質記録回路１１７で記録された受信品質データが受信品質判定回路１１１で受信品質不良と判定されなかった場合には、その記録された受信品質データの中から最良の受信品質を示す受信品質データを探し、その受信品質データと組になっている時間窓を最適時間窓として選択する。
【００７５】
この選択により決定した最適時間窓を、復調用ＦＦＴ回路２８へＦＦＴの時間窓信号として与える。また、制御用ＦＦＴ回路１８へも、この最適時間窓を与える。
【００７６】
バッファメモリ制御回路１１６は、バッファメモリ６へのデータの書き込み、およびバッファメモリ６からのデータの読み出しを制御する。
【００７７】
その制御の第１は、時間窓設定回路１１２から１番目の時間窓データが出力（初期設定）されたときに、データの書き込みを指示し、書き込み終了後に、そのデータを読み出すよう指示することである。
【００７８】
その制御の第２は、時間窓設定回路１１２から時間窓データが順次出力されている間、時間窓データが出力される度に、その都度データの読み出しを指示することである。ただし、受信品質判定回路１１１により、受信品質が不良と判定されたときには、バッファメモリ６への新たなデータの書き込みを指示し、その書き込み終了後、その新たに書き込まれたデータの読み出しを指示する。
【００７９】
以上述べた時間窓制御部１１０により、本実施の形態のＯＦＤＭ受信装置の制御用ＦＦＴ回路１８と復調用のＦＦＴ回路２８の時間窓の発生位置が制御される。
【００８０】
次に、本実施の形態の時間窓制御回路１１０によるＦＦＴの時間窓の設定位置の制御方法について説明する。
【００８１】
図７は、本実施の形態の時間窓制御回路１１０によるＦＦＴの時間窓の設定位置の制御方法を示すフローチャートである。
【００８２】
先ず、制御を開始すると（ステップＳ１０１）、時間窓の初期設定として、時間窓設定回路１１２から、予め用意された複数の時間窓データの中の１番目の時間窓データを出力し、制御用ＦＦＴ回路１８のＦＦＴの時間窓信号の位置を設定する（ステップＳ１０２）。
【００８３】
次に、バッファメモリ制御回路１１６よりデータの書き込み指示を出し、バッファメモリ６へ直交検波器１５から出力されるベースバンドのＯＦＤＭ信号を書き込み、その時点のベースバンドのＯＦＤＭ信号をバッファメモリ６に記憶する（ステップＳ１０３）。
【００８４】
続いて、バッファメモリ６から記憶されているベースバンドのＯＦＤＭ信号データを読み出し、制御用ＦＦＴ回路１８へ入力する（ステップＳ１０４）。
【００８５】
制御用ＦＦＴ回路１８は、ステップＳ１０２で設定されたＦＦＴの時間窓信号を用いて、バッファメモリ６から出力されたベースバンドのＯＦＤＭ信号に対してＦＦＴを実行する（ステップＳ１０５）。
【００８６】
ＦＦＴが終了すると、制御用復調部１９で制御用ＦＦＴ回路１８の出力信号の受信品質を表わすデータを算出し、時間窓制御部１１０へ出力する。受信品質記録回路１１７は、入力されたこの受信品質データを、そのときの時間窓データと組にして記録する（ステップＳ１０６）。
【００８７】
受信品質データの記録が終わると、時間窓設定回路１１２は、予め用意された複数の時間窓データの中の次の時間窓データを出力し、制御用ＦＦＴ回路１８のＦＦＴの時間窓信号の位置を変更し（ステップＳ１０７）、ステップＳ１０４へ戻る。
【００８８】
以降、時間窓設定回路１１２に予め用意されている複数の時間窓データを総て出力し終わるまで、ステップＳ１０４からステップＳ１０７までの動作を繰り返す。
【００８９】
時間窓設定回路１１２に予め用意されている複数の時間窓データを総て出力し終わり、受信品質記録回路１１７における受信品質データの記録が終わると、受信品質判定回路１１１で、その記録されたデータに対する受信品質が不良かどうかの判定を行う（ステップＳ１０８）。
【００９０】
ステップＳ１０８で受信品質が不良（ＹＥＳ）と判定された場合は、バッファメモリ６に記憶されている現状のベースバンドのＯＦＤＭ信号データは正常なものではないとみなし、ステップＳ１０３に戻る。ここで、バッファメモリ６へ、その時点で受信された新しいベースバンドのＯＦＤＭ信号を書き込み、以降のステップの処理を繰り返す。これにより、以降のステップでは、新しいベースバンドのＯＦＤＭ信号に対する処理が行われる。
【００９１】
ステップＳ１０８で、受信品質が不良でない（ＮＯ）と判定された場合、最適時間窓選択回路１１８が、受信品質記録回路１１７で記録したデータの中から最良の受信品質を示す受信品質データを探し、その受信品質データと組になっている時間窓を最適時間窓と決定する。その後、引き続き新しい受信信号に対する最適時間窓を設定するため、ステップＳ１０３に戻る（ステップＳ１０９）。
【００９２】
ステップＳ１０３に戻ると、その時点で直交検波器１５から出力されるベースバンドのＯＦＤＭ信号をバッファメモリ６へ書き込み、以降のステップを繰り返す。
【００９３】
このようにしてステップＳ１０３で決定されたＦＦＴ時間窓信号を用いて、直交検波器１５から出力されるベースバンドのＯＦＤＭ信号に対して復調用ＦＦＴ回路２８のＦＦＴを実行すると、良好な受信品質のデータ復調を行うことができる。
【００９４】
このような本実施の形態のＯＦＤＭ受信装置の時間窓制御部１１０およびそのＦＦＴの時間窓制御方法によれば、ＦＦＴの時間窓の設定位置の調整中は、制御用ＦＦＴ回路１８へは、予め複数用意された時間窓データが、受信品質の良否を問わず順次入力される。したがって、ＦＦＴの時間窓の設定位置を変更する度に受信品質の良否を判定する必要がなく、その分、ＦＦＴの時間窓の設定位置の調整に要する時間を短縮できる。
【００９５】
また、本実施の形態のＯＦＤＭ受信装置は、制御用ＦＦＴ回路１８とは別に、復調用ＦＦＴ回路２８を備えているため、ＦＦＴの時間窓の設定位置の調整中も、並行して受信信号の復調を行うことができる。
【００９６】
（第２の実施の形態の変形例）
図８は、第２の実施の形態の変形例に係るＯＦＤＭ受信装置の構成を示すブロック図である。
【００９７】
図８に示すＯＦＤＭ受信装置が図４に示すＯＦＤＭ受信装置と異なる点は、制御用復調部１９にＳ／Ｎ算出回路９４の代わりに誤り率算出回路９５が設けられている点である。
【００９８】
この誤り率算出回路９５は、制御用復調部１９の誤り訂正回路９３の出力を利用して、制御用ＦＦＴ回路１８の出力信号のビット誤り率を算出するものである。本変形例においては、このビット誤り率データが受信信号の受信品質データとして用いられる。
【００９９】
これにより、本変形例のＯＦＤＭ受信装置では、復調用ＦＦＴ回路２８に与えるＦＦＴ時間窓信号の設定位置の制御を制御用ＦＦＴ回路１８の出力信号のビット誤り率に基づいて行うことができる。
【０１００】
【発明の効果】
本発明のＯＦＤＭ受信装置によれば、受信信号が時間的に大きく変動する場合であっても、ＦＦＴの時間窓を最適な位置に短時間で設定することができる
【図面の簡単な説明】
【図１】本発明の第１の実施の形態に係るＯＦＤＭ受信装置の構成を示すブロック図。
【図２】本発明の第１の実施の形態に係るＯＦＤＭ受信装置におけるＦＦＴの時間窓の設定位置の制御方法を示すフローチャート。
【図３】本発明の第１の実施の形態の変形例に係るＯＦＤＭ受信装置の構成を示すブロック図。
【図４】本発明の第２の実施の形態に係るＯＦＤＭ受信装置の構成を示すブロック図。
【図５】本発明の第２の実施の形態に係るＯＦＤＭ受信装置のＦＦＴに用いる時間窓の例を説明するための図。
【図６】本発明の第２の実施の形態に係るＯＦＤＭ受信装置におけるＦＦＴの時間窓の制御に用いる記録データの例を説明するための図。
【図７】本発明の第２の実施の形態に係るＯＦＤＭ受信装置におけるＦＦＴの時間窓の設定位置の制御方法を示すフローチャート。
【図８】本発明の第２の実施の形態の変形例に係るＯＦＤＭ受信装置の構成を示すブロック図。
【図９】ＯＦＤＭ伝送シンボルと時間窓の関係について説明するための図。
【符号の説明】
１  信号受信部
１１  アンテナ
１２  チューナ
１３  ＡＧＣ回路
１４  Ａ／Ｄ変換器
１５  直交検波器
６  バッファメモリ
７  セレクタ
８  ＦＦＴ回路
１８  制御用ＦＦＴ回路
２８  復調用ＦＦＴ回路
９、２９  データ復調部
１９  制御用復調部
９１  等化回路
９２  復調回路
９３  誤り訂正回路
９４  Ｓ／Ｎ算出回路
９５  誤り率算出回路
１０、１１０  時間窓制御部
１０１、１１１  受信品質判定回路
１０２、１１２  時間窓設定回路
１０３  入力切り替え制御回路
１０４  収束判定回路
１０５  経過時間計測タイマ回路
１０６、１１６  バッファメモリ制御回路
１１７  受信品質記録回路
１１８  最適時間窓選択回路
【図１】
2004336279.tif 000003
【図２】
2004336279.tif 000004
【図３】
2004336279.tif 000005
【図４】
2004336279.tif 000006
【図５】
2004336279.tif 000007
【図６】
2004336279.tif 000008
【図７】
2004336279.tif 000009
【図８】
2004336279.tif 000010
【図９】
2004336279.tif 000011